(57)【要約】【課題】  サーバから受信した楽曲ファイルを他のユーザも試聴可能とする。【解決手段】  ユーザは携帯電話３を用いてサーバ２にアクセスし、楽曲ファイルを購入し、この購入ファイル５１をメモリ２８に記憶させ、サーバ２の運営者から供給されメモリ２８に記憶された試聴ファイル制作アプリケーション４２により暗号化試聴ファイル５２を制作し、電子メールに添付して友人に送信する。電子メールを受信した友人は、サーバ２の運営者から供給されメモリ２８に記憶された暗号化試聴ファイル専用再生アプリケーション４３により、電子メールに添付された暗号化試聴ファイル５２を再生する。【選択図】  図１
2006234881.tif 000002
【特許請求の範囲】
【請求項１】
楽曲ファイルを提供可能なサーバから楽曲ファイルを受信する受信手段と、
前記受信した楽曲ファイルから試聴用楽曲ファイルを作成する作成手段と、
前記作成した試聴用楽曲ファイルを他の音楽再生装置に送信する手段と、
を有することを特徴とする音楽再生装置。
【請求項２】
楽曲ファイルを送信するサーバと、
前記サーバから受信した楽曲ファイルから試聴用楽曲ファイルを作成し、前記作成した試聴用楽曲ファイルを他の音楽再生装置に送信する第１の音楽再生装置と、
前記第１の音楽再生装置から受信した試聴用楽曲ファイルから楽音を再生する第２の音楽再生装置と、
を有することを特徴とする音楽配信システム。
【請求項３】
前記試聴用楽曲ファイルは暗号化されており、
前記第２の音楽再生装置は前記試聴用楽曲ファイルを復号化する復号化情報を保持したサーバから前記復号化情報を受信し、前記試聴用楽曲ファイルを復号化して楽音を再生することを特徴とする請求項２に記載の音楽配信システム。
【発明の詳細な説明】
【技術分野】
【０００１】
本発明は、楽曲ファイルを送信するサーバと受信した楽曲ファイルを再生する音楽再生装置からなる音楽配信システムにおいて、受信した楽曲ファイルから他の音楽再生装置で試聴可能な試聴用楽曲ファイルを作成する音楽再生装置及びこれを含む音楽配信システムに関する。
【背景技術】
【０００２】
従来の音楽配信システムにおいては、ユーザが音楽再生装置等の端末からサーバにアクセスし楽曲ファイルを購入する操作を行うと、サーバにおいて課金処理が行われサーバから端末へ楽曲ファイルがダウンロードされる。また、ユーザが楽曲ファイルを購入する前の試聴には、サーバから端末へ試聴用楽曲ファイルをダウンロードしながら再生するストリーム配信技術が用いられている。このストリーム配信技術は、ユーザが端末に試聴用楽曲ファイルを保存することができず、サーバにアクセスしたユーザがサーバにアクセスしたときだけ試聴用楽曲ファイルを再生することができるというものである。
【０００３】
また、暗号化されたコンテンツ本体と利用権ファイルを分離した「超流通」と呼ばれる技術による音楽配信システムも存在する。この技術によれば、楽曲ファイル等のコンテンツ本体は暗号化されており、ユーザはどのようなルートでコンテンツ本体を入手してもよい。ユーザは、コンテンツ本体の他にこのコンテンツ本体に対する利用権ファイルをサーバから入手し専用のアプリケーションを用いるとコンテンツ本体の利用、例えば楽曲ファイルの再生等をすることができる。
例えば、コンテンツ本体のファイル容量が非常に大きい場合、電子メールに添付して友人に送信することは困難である。しかし、上記の技術によれば、友人が別ルートでコンテンツ本体を入手し、サーバへアクセスして利用権ファイルを入手するとコンテンツ本体を利用することができる。ここで、利用権ファイルとしてユーザへ送信される情報は、サーバにおいてサーバ管理者によって予め設定される。
なお、従来技術として特許文献１が知られている。
【特許文献１】特開２００１−０２８７８６号公報
【発明の開示】
【発明が解決しようとする課題】
【０００４】
従来、音楽配信システムから受信した楽曲ファイルはファイル容量が大きいため、例えば電子メールに添付して複数の友人へ送信するには適していない。このため、購入した楽曲ファイルが良い曲であることを友人に説明することはできても試聴させることはできないので、友人は自分の端末からサーバへアクセスし、該当する楽曲ファイルを探して購入する必要があった。ユーザは友人等の他のユーザにこのような煩雑な手続きをとらせなければ自分が購入した楽曲ファイルを聞かせることができないため、音楽の好みに関するコミュニケーションを円滑に図ることができず、うわさ、評判などを口伝えに広める「口コミ」による楽曲ファイルの購入が期待できなかった。
【０００５】
また、上記の超流通技術による音楽配信システムにおいては、コンテンツ本体は様々なルートで入手することはできても利用権を購入する前に再生することはできず、試聴に関しては上記の音楽配信システムと同様にストリーム配信技術が用いられていた。
本発明は、上記の事情を考慮してなされたものであり、その目的は、サーバから受信した楽曲ファイルを他のユーザも試聴可能とする音楽再生装置及び音楽配信システムを提供することである。
【課題を解決するための手段】
【０００６】
本発明は上記の課題を解決するためになされたもので、請求項１に記載の発明は、楽曲ファイルを提供可能なサーバから楽曲ファイルを受信する受信手段と、前記受信した楽曲ファイルから試聴用楽曲ファイルを作成する作成手段と、前記作成した試聴用楽曲ファイルを他の音楽再生装置に送信する手段と、を有することを特徴とする音楽再生装置である。
【０００７】
請求項２に記載の発明は、楽曲ファイルを送信するサーバと、前記サーバから受信した楽曲ファイルから試聴用楽曲ファイルを作成し、前記作成した試聴用楽曲ファイルを他の音楽再生装置に送信する第１の音楽再生装置と、前記第１の音楽再生装置から受信した試聴用楽曲ファイルから楽音を再生する第２の音楽再生装置と、を有することを特徴とする音楽配信システムである。
【０００８】
請求項３に記載の発明は、請求項２に記載の音楽配信システムにおいて、前記試聴用楽曲ファイルは暗号化されており、前記第２の音楽再生装置は前記試聴用楽曲ファイルを復号化する復号化情報を保持したサーバから前記復号化情報を受信し、前記試聴用楽曲ファイルを復号化して楽音を再生することを特徴とする。
【発明の効果】
【０００９】
本発明によれば、サーバから楽曲ファイルを受信した携帯電話等の音楽再生装置において試聴用楽曲ファイルを作成するので、友人等の他のユーザにお気に入りの楽曲を容易に紹介することができる。すなわち、ユーザが購入した楽曲ファイルを気に入ったときに、試聴用楽曲ファイルを生成して電子メールに添付して送信することができ、その試聴用楽曲ファイルを友人等の他のユーザに配布することによって、自分の好みを説明したりするコミュニケーションを円滑に進め、手間のかからない試聴による「口コミ」販売を実現することができる。
【発明を実施するための最良の形態】
【００１０】
以下、図面を参照し、本発明の実施形態について説明する。図２は、この実施形態における音楽配信システム１の概要図である。音楽配信システム１は、楽曲ファイルが記憶されたデータベース２０３ａを有するサーバ２０３、及び、サーバ２０３から楽曲ファイルを受信して再生する音楽再生装置であるパーソナルコンピュータ端末２０１、２０６が公衆通信網２０２に接続され、同様に、サーバ２０３から楽曲ファイルを受信して再生する音楽再生装置である移動端末２０５、２０７が基地局２０４を介して公衆通信網２０２に接続されている。パーソナルコンピュータ端末２０１はディスプレイ２０１ａ、スピーカ２０１ｂを有する。パーソナルコンピュータ端末２０６についても同様である。また、移動端末２０５は表示部２０５ａ、スピーカ２０５ｂ、マイク２０５ｃを有する。移動端末２０７についても同様である。
【００１１】
次に、図１を参照して上述した音楽配信システム１の各部の構成を説明する。図１は、音楽配信システム１の構成を示すブロック図である。サーバ２は図２のサーバ２０３に対応し、ハードディスク１２には図２のデータベース２０３ａが構築される。また、携帯電話３は図２の移動端末２０５又は２０７に対応し、表示部２７は図２の表示部２０５ａ、スピーカ２５は図２のスピーカ２０５ｂ、マイク２４は図２のマイク２０５ｃにそれぞれ対応する。また、通信ネットワーク４は図２の公衆通信網２０２に対応し、基地局５は図２の基地局２０４に対応する。
なお、図２のパーソナルコンピュータ端末２０１、２０６は、携帯電話３と異なり電波信号を送受信する機能、音声通話を行う機能、音声を入力するマイク等を有しないものもあるが、音楽再生装置としての構成及び動作は図１の携帯電話３と同様であるため、以下、音楽再生装置としては携帯電話３を例に構成及び動作を説明する。
【００１２】
図１のサーバ２は、通信ネットワーク４を介して携帯電話３と通信するための通信部１１、携帯電話３へ送信される楽曲ファイル及び携帯電話３において試聴を行うときに送信される配信ファイル５３（図３）が記憶されるハードディスク１２、ＲＯＭ（リードオンリメモリ）、ＲＡＭ（ランダムアクセスメモリ）等からなるメモリ１３、キーボード、マウス等からなる操作部１４、ディスプレイ等の表示部１５、ＣＰＵ（中央演算処理装置）１６から構成される。
通信ネットワーク４は、例えばインターネット等の公衆通信網である。
基地局５は、携帯電話３と無線で接続し、通信ネットワーク４を介してサーバ２と携帯電話３との間で送受信されるデータを中継する。
【００１３】
携帯電話３の通信部２１は、音声通話又はデータ通信に用いられる。この通信部２１は、アンテナ２２を介して基地局５との間で電波信号の送受信、送受信信号の変復調、ＣＰＵ２９又はＤＳＰ（デジタル信号処理装置）３２との間のデータ入出力を行う。ここで、復調によって得られる文字データ、記号データ等についてはバスラインを介してＣＰＵ２９へ出力し、音声データは信号処理部２３のＤＳＰ３２へ出力する。また、ＣＰＵ２９から出力される文字データ等及びＤＳＰ３２から出力される音声データを変調する。
【００１４】
信号処理部２３は、ＤＳＰ３２及びコンバータ３１から構成される。
コンバータ３１はマイク２４から入力される音声信号をデジタルの音声データに変換してＤＳＰ３２に入力し、また、ＤＳＰ３２から出力されるデジタルの音声データをアナログ信号に変換してスピーカ２５へ出力する。
ＤＳＰ３２は、コンバータ３１から出力されるデジタルの音声データを圧縮して通信部２１へ出力し、また、通信部２１から出力される圧縮されたデジタルの音声データを伸張してコンバータ３１へ出力する。また、ＣＰＵ２９が楽曲ファイルを再生するときに出力される楽音データをデジタルの音声データに変換してコンバータ３１へ出力する。
【００１５】
操作部２６は、テンキー及びファンクションキーからなる。表示部２７は、ＣＰＵ２９から出力される表示用の信号に基づいて画像や文字等を表示する液晶ディスプレイである。ＣＰＵ２９は、メモリ２８に記憶されたプログラムに基づき各部を制御する。
メモリ２８は、ＲＯＭ（リードオンリメモリ）、ＲＡＭ（ランダムアクセスメモリ）等から構成される。ＲＯＭは、ＣＰＵ２９が実行するプログラム及び定数データを記憶する。ＲＡＭは、ＣＰＵ２９の処理におけるデータを一時的に記憶する。また、楽曲ファイルの再生、及び、試聴用楽曲ファイルの制作、再生に関する図３に示す各種アプリケーション、及び、各種ファイル、すなわち、楽曲ファイル再生アプリケーション４１、試聴ファイル制作アプリケーション４２、暗号化試聴ファイル専用再生アプリケーション４３、購入した楽曲ファイルである購入ファイル５１、購入ファイル５１から試聴ファイル制作アプリケーション４２により制作された暗号化試聴ファイル５２が記憶される。
【００１６】
以下、上記の楽曲ファイル再生アプリケーション４１、試聴ファイル制作アプリケーション４２、暗号化試聴ファイル専用再生アプリケーション４３について説明する。これらはサーバ２を運営するプロバイダから供給される。
楽曲ファイル再生アプリケーション４１は、サーバ２から受信した楽曲ファイルを携帯電話３で再生するためのアプリケーションである。サーバ２から受信しメモリ２８に記憶された楽曲ファイルは所定の形式にエンコードされているので、楽曲ファイル再生アプリケーション４１はこれをデコードして生成された楽音データをＤＳＰ３２に出力する。
【００１７】
試聴ファイル制作アプリケーション４２は、楽曲ファイルから試聴用楽曲ファイルを生成し、これを暗号化して暗号化試聴ファイル５２を制作するアプリケーションである。試聴用楽曲ファイルは試聴に適した形式の楽曲ファイルであり、制作の仕方としては、例えば、楽曲のサビの部分等、楽曲ファイルの一部を抽出して試聴用楽曲ファイルとする、楽曲ファイルを圧縮して品質を落としたものを試聴用楽曲ファイルとする、等がある。次に、この試聴用楽曲ファイルを暗号化する。暗号化は、例えば、試聴ファイル制作アプリケーション４２に予め格納された暗号鍵を用いて行う。このように制作された暗号化試聴ファイル５２は、楽曲ファイルを購入したユーザが不特定多数に再配布することができる。
なお、上記のように試聴用楽曲ファイルを制作せずに、携帯電話３の間でストリーム配信により試聴を行ってもよい。この場合、楽曲ファイルを再生するためのデータを送信する側と受信して試聴する側の携帯電話３のメモリ２８に、それぞれストリーム配信用のサーバソフトとクライアントソフトを予め記憶しておき、これらを起動してストリーム配信を行う。この場合は前述のように試聴する側の携帯電話３において楽曲ファイルを保存することはできない。
【００１８】
暗号化試聴ファイル専用再生アプリケーション４３は、試聴ファイル制作アプリケーション４２により制作された暗号化試聴ファイル５２を再生することができるアプリケーションであり、他のアプリケーションを用いて暗号化試聴ファイル５２を再生することはできない。暗号化試聴ファイル専用再生アプリケーション４３は、まず、暗号化試聴ファイル５２の復号化情報が含まれる配信ファイル５３（図３）をサーバから受信して復号化を行う。復号化情報とは、例えば、暗号化試聴ファイル５２を復号化する復号鍵である。試聴ファイル制作アプリケーション４２に予め格納された暗号鍵とこの復号鍵は、例えば、暗号化に用いる鍵と復号化に用いる鍵を異なる鍵とするため、公開鍵暗号方式による公開鍵と秘密鍵をそれぞれ暗号鍵と復号鍵として用いてもよい。
復号化された試聴用楽曲ファイルの再生は、楽曲ファイル再生アプリケーション４１における再生と同様に、メモリ２８に記憶された楽曲ファイルをデコードして生成された楽音データをＤＳＰ３２に出力することにより行う。
【００１９】
なお、試聴ファイル制作アプリケーション４２により暗号化試聴ファイル５２を制作するときに、暗号化試聴ファイル５２が制作された元の楽曲ファイルをサーバ２から購入するためのＵＲＬ、暗号化試聴ファイル５２を制作したユーザのＩＤ等を暗号化試聴ファイル５２に購入補助情報として格納してもよい。この購入補助情報の利用の仕方としては、暗号化試聴ファイル専用再生アプリケーション４３により暗号化試聴ファイル５２が再生されるときにこの購入補助情報を携帯電話３の表示部２７に表示する、あるいは、暗号化試聴ファイル５２を受信して試聴した友人等が元の楽曲ファイルを購入したときに、この購入補助情報から暗号化試聴ファイル５２を制作したユーザのＩＤを取得してサーバ２へ送信することにより、この暗号化試聴ファイル５２を制作したユーザ、すなわち、暗号化試聴ファイル５２が制作された元の楽曲ファイルを購入し、この楽曲ファイルを友人等に紹介したユーザに特典等を提供する等がある。
なお、上記では試聴ファイル制作アプリケーション４２及び暗号化試聴ファイル専用再生アプリケーション４３において、それぞれ試聴用楽曲ファイルの暗号化及び復号化を行っているが、暗号化及び復号化を行わずに、それぞれ試聴用楽曲ファイルの制作及び再生のみ行ってもよい。この場合、試聴用楽曲ファイルを再生するときにサーバ２から配信ファイル５３を受信する必要はなくなるが、例えば、暗号化試聴ファイル５２を受信した友人等が試聴を行った場合に、上記と同様にその楽曲を友人等に紹介したユーザに特典等を提供するようなサービスを行うことが困難となる。
【００２０】
次に、図３を参照して、上述した音楽配信システム１の動作を説明する。
ユーザは予めサーバ２を運営するプロバイダのサーバから、楽曲ファイル再生アプリケーション４１、試聴ファイル制作アプリケーション４２をダウンロードして、携帯電話３のメモリ２８に格納しておく。
まず、図３（ａ）に示すように、ユーザがサーバ２において楽曲ファイルを購入して携帯電話３にダウンロードし、この購入ファイル５１をメモリ２８に記憶し、楽曲ファイル再生アプリケーション４１により再生する。ユーザは購入した楽曲ファイルが気に入ったので、仲の良い友人に楽曲ファイルを送信してコミュニケーションしたいと考えたとする。
【００２１】
このときユーザは、図３（ｂ）に示すように、メモリ２８に記憶された購入ファイル５１から、試聴ファイル制作アプリケーション４２により暗号化試聴ファイル５２を制作する。そして、例えば、制作した暗号化試聴ファイル５２を電子メールに添付して友人へ送信する。
【００２２】
この電子メールを受信した友人は、自分の携帯電話３のメモリ２８に暗号化試聴ファイル専用再生アプリケーション４３が格納されていない場合は、サーバ２を運営するプロバイダのサーバからダウンロードして格納する。
そして、図３（ｃ）に示すように、暗号化試聴ファイル専用再生アプリケーション４３により、電子メールに添付された暗号化試聴ファイル５２を再生する。暗号化試聴ファイル専用再生アプリケーション４３は前述のように、まず、サーバ２にアクセスし、暗号化試聴ファイル５２を復号化する情報が含まれる配信ファイル５３を取得し、試聴用楽曲ファイルを復号化して再生する。
【００２３】
なお、超流通技術による音楽配信システムの場合には、サーバ２の運営者が楽曲ファイルを購入したユーザにテンポラリな試聴用の利用権ファイルの発行を許すアプリケーションをさらに提供し、楽曲ファイルを購入したユーザから暗号化試聴ファイル５２と試聴用の利用権ファイルを受信した他のユーザが暗号化試聴ファイル専用再生アプリケーション４３により再生可能としてもよい。
また、楽曲ファイルを購入したユーザが利用権ファイルを管理するサーバに対して指定したユーザ例えば友人への利用権ファイルの送信を依頼し、この友人が楽曲ファイルを購入したユーザから暗号化試聴ファイル５２を受信して再生するときに、暗号化試聴ファイル専用再生アプリケーション４３が自動的にサーバ２にアクセスして試聴用の利用権ファイルをダウンロードして再生を開始するようにしてもよい。
【００２４】
なお、上述の実施形態では、サーバ２は楽曲ファイルを提供する機能と、復号化情報の配信ファイルを提供する機能を１台として説明したが、これに限らず別々にサーバを設けてもよいことは明らかである。
また、楽曲ファイル再生アプリケーション４１と、試聴ファイル制作アプリケーション４２と、暗号化試聴ファイル専用再生アプリケーション４３は別々のアプリケーションでも一体のアプリケーションでもよい。
また、試聴用楽曲ファイルの暗号化は楽曲の一部のみを暗号化してもよい。
また、サーバ２から送信される購入ファイル５１は暗号化されていてもよい。この場合、一旦復号化してから暗号化試聴ファイル５２を作成するが、この時の暗号化は購入ファイル５１に対する暗号化鍵と異なるものを用いてもよいし、暗号化方式自体も異なったものであってもよい。
【産業上の利用可能性】
【００２５】
本発明は、楽曲ファイルの試聴を可能とする音楽配信システムに用いられる。
【図面の簡単な説明】
【００２６】
【図１】本発明の実施形態による音楽配信システム１の構成を示すブロック図である。
【図２】本発明の実施形態による音楽配信システム１の概要図である。
【図３】音楽配信システム１の動作を示す図である。
【符号の説明】
【００２７】
１…音楽配信システム、２…サーバ、３…携帯電話、４…通信ネットワーク、５…基地局、１１…通信部、１２…ハードディスク、１３…メモリ、１４…操作部、１５…表示部、１６…ＣＰＵ、２１…通信部、２２…アンテナ、２３…信号処理部、２４…マイク、２５…スピーカ、２６…操作部、２７…表示部、２８…メモリ、２９…ＣＰＵ、４１…楽曲ファイル再生アプリケーション、４２…試聴ファイル制作アプリケーション、４３…暗号化試聴ファイル専用再生アプリケーション、５１…購入ファイル、５２…暗号化試聴ファイル、５３…配信ファイル、２０１、２０６…パーソナルコンピュータ端末、２０１ａ…ディスプレイ、２０１ｂ…スピーカ、２０２…公衆通信網、２０３…サーバ、２０３ａ…データベース、２０４…基地局、２０５、２０７…移動端末、２０５ａ…表示部、２０５ｂ…スピーカ、２０５ｃ…マイク
【図１】
2006234881.tif 000003
【図２】
2006234881.tif 000004
【図３】
2006234881.tif 000005